(57)【特許請求の範囲】
【請求項１】
貼付票片の上に受領票片と控え票片を順次重ね合わせてなり、前記各片の表面には上下に対応する位置に配送情報記入部を設けてなる配送伝票であって、前記各片の縦横の長さはその一方において等しく、他方においては前記受領票片を最も短い長さに、前記控え票片を前記貼付票片以下の長さにそれぞれ設定し、前記受領票片は前記貼付票片と互いの三周縁で接着し、前記控え票片は前記受領票片と前記三周縁に対応する三周縁で接着するとともに、残りの一縁で前記貼付票片と接着し、前記控え票片には、接着部分の内側で、かつ配送情報記入部の外側に位置して切り用ミシン目を四角状に設けて控え票を切り取り可能に形成し、前記切り用ミシン目は三周縁において前記受領票片にも達して、前記受領票片に受領票を切り取り可能に形成し、前記貼付票片の裏面には粘着剤を塗布するとともに、この粘着剤を剥離紙で被覆する一方、控え票の配送情報記入部に配送情報を記入することによって受領票と貼付票片の配送情報記入部にも同一内容が複写記入されるよう複写構造を設けたことを特徴とする配送伝票。
【請求項２】
貼付票片の控え票片よりも長い部分の表面に補助貼付票と売上票とを接着するとともに、これら補助貼付票と売上票の表面は控え票片の表面と同一平面をなすように構成し、売上票を切り取り可能としたことを特徴とする請求項１記載の配送伝票。
【発明の詳細な説明】
【技術分野】
【０００１】
本発明は、手書き記入によって複写するとともに、印字はノンインパクトプリンタによって行う配送伝票に関する。
【背景技術】
【０００２】
従来から、様々な構成の複写式配送伝票が知られているが、複写記入する配送情報は、配送伝票を個別処理する場合には手書き記入し、大量処理する場合にはあらかじめ入力したデータを出力するインパクトプリンタで印字するのが一般的であった。
【特許文献１】特開平７−２１４９４５号公報
【発明の開示】
【発明が解決しようとする課題】
【０００３】
ところが、近年、レーザープリンタなどの印字速度が速いノンインパクトプリンタが一般的になり、印字速度の遅いインパクトプリンタはほとんど使用されなくなっている。このため、最近では複写記入する配送情報を、大量処理する場合でも手書き記入するのが一般的である。そして、ノンインパクトプリンタでの印字動作時に、複数枚の配送票を重ね合わせてなる配送伝票がばらつかないように、周縁部分で剥離可能に接着している。しかしながら、剥離可能に接着した構成では、印字動作における移送時に端部が引っ掛かって捲り上がってしまうという不都合がある。本発明は、この不都合を解消して、手書きによる複写とノンインパクトプリンタによる印字とを良好になしうる配送伝票を提供することを目的とする。
【課題を解決するための手段】
【０００４】
この目的を達成するため、本発明の請求項１に係る配送伝票は、貼付票片の上に受領票片と控え票片を順次重ね合わせてなり、前記各片の表面には上下に対応する位置に配送情報記入部を設けてなる配送伝票であって、前記各片の縦横の長さはその一方において等しく、他方においては前記受領票片を最も短い長さに、前記控え票片を前記貼付票片以下の長さにそれぞれ設定し、前記受領票片は前記貼付票片と互いの三周縁で接着し、前記控え票片は前記受領票片と前記三周縁に対応する三周縁で接着するとともに、残りの一縁で前記貼付票片と接着し、前記控え票片には、接着部分の内側で、かつ配送情報記入部の外側に位置して切り用ミシン目を四角状に設けて控え票を切り取り可能に形成し、前記切り用ミシン目は三周縁において前記受領票片にも達して、前記受領票片に受領票を切り取り可能に形成し、前記貼付票片の裏面には粘着剤を塗布するとともに、この粘着剤を剥離紙で被覆する一方、控え票の配送情報記入部に配送情報を記入することによって受領票と貼付票片の配送情報記入部にも同一内容が複写記入されるよう複写構造を設けたものである。
【０００５】
また、本発明の請求項２に係る配送伝票は、上記請求項１に係る発明の構成において、貼付票片の控え票片よりも長い部分の表面に補助貼付票と売上票とを接着するとともに、これら補助貼付票と売上票の表面は控え票片の表面と同一平面をなすように構成し、売上票を切り取り可能としたものである。
【発明の効果】
【０００６】
本発明の請求項１に係る配送伝票によれば、手書き記入によって確実に複写できるとともに、貼付票片と受領票片と控え票片とは確実に接着しているので、ノンインパクトプリンタによる印字も円滑にでき、また、受領票片を短く形成したので、控え票を切り取った後に形成される窓部分の一縁に沿った帯状の空間部分から指を入れて受領票端部を摘み、受領票の切り取り作業を容易に行うことができるという効果を奏する。
【０００７】
本発明の請求項２に係る配送伝票によれば、上述の効果に加えて、補助貼付票に伝票番号やこれに対応するバーコードなどの所望の情報を印字できるので、控え票を切り取った後の配送管理が容易となり、また、売上票による売上管理も容易であるほか、補助貼付票と売上票の表面は控え票片の表面と同一平面をなすので、印字動作も円滑になされるという効果を奏する。
【発明を実施するための最良の形態】
【０００８】
以下、本発明の好適な実施形態を添付図面に基づいて説明する。ここにおいて、図１は配送伝票の表面側を示す平面図、図２は図１のＡ−Ａ線断面図、図３は図１のＢ−Ｂ線断面図、図４は筆記記入後に控え票を切り取った状態の配送伝票の表面側を示す平面図、図５は売上票と配達票兼受領票を切り取った配送伝票の表面側を示す平面図、図６は図５に示す配送伝票の配送品容器への貼付状態を示す断面図である。
【０００９】
図１〜図３に示すように、配送伝票１は、貼付票片２の上に受領票片３と控え票片４を順次重ね合わせてなり、前記各片２，３，４の縦横の長さは横において等しく、縦においては前記受領票片３が最も短い長さで、前記控え票片４は前記貼付票片２より短く設定されている。図２及び図３で理解できるように、前記受領票片３は前記貼付票片２と互いの三周縁で接着剤５によって接着し、前記控え票片４は前記受領票片３と前記三周縁に対応する三周縁で接着剤５によって接着するとともに、前記受領票片３と重ならない残りの一縁で前記貼付票片２と接着剤５によって接着している。また、前記貼付票片の２裏面には粘着剤６を塗布するとともに、剥離紙７で被覆している。
【００１０】
図１及び図２に示すように、貼付票片２の控え票片４よりも長い部分の表面には、補助貼付票８と売上票９とを接着剤５によって接着している。これら補助貼付票８と売上票９は、表面が控え票片４の表面と同一平面をなすように、厚さを設定している。前記補助貼付票８と前記売上票９との境には、前記貼付票片2まで貫通する切り用ミシン目１０を設け、前記売上票９を切り取り可能に構成している。また、剥離紙7の前記切り用ミシン目１０に対応する位置にはスリット４４を設けている。前記売上票９に対応する部分を除く貼付票片２と前記補助貼付票８とによって貼付票としての機能を奏する。
【００１１】
図１に示すように、控え票片４には、接着部分の内側に沿って、切り用ミシン目１１を四角状に設けて控え票１２を切り取り可能に形成し、左下隅部には三角形状の切り欠き１３を設けて、前記控え票１２を切り取る際に指で摘みやすくしている。また、図２及び図３で理解できるように、前記切り用ミシン目１１は三周縁において受領票片３にも達して、前記受領票片３に配達票兼受領票１４を切り取り可能に形成している。
【００１２】
図１に示すように、控え票１２の表面には、「依頼主控」という表題１５と、伝票番号記入欄１６、届け先情報記入欄１７、配達希望日時記入欄１８、受付年月日記入欄１９をあらかじめ印刷している。また、補助貼付票８の表面には、依頼主情報記入欄２０をあらかじめ印刷している。さらに、売上票９の表面には、「売上票」という表題２１と、受付日記入欄２２、担当者名記入欄２３、伝票番号記入欄２４、配達予定日記入欄２５、配達時間帯記入欄２６、運賃記入欄２７をあらかじめ印刷している。
【００１３】
図４に示すように、配達票兼受領票１４の表面には、「配達票兼受領票」という表題２８のほか、控え票１２の届け先情報記入欄１７、配達希望日時記入欄１８、受付年月日記入欄１９にそれぞれ上下に対応する位置に、届け先情報複写記入欄２９、配達希望日時複写記入欄３０、受付年月日複写記入欄３１をあらかじめ印刷し、また、前記届け先情報複写記入欄２９の下には受領印捺印欄３２をあらかじめ印刷している。
【００１４】
さらに、図５に示すように、貼付票片２の表面には、「貼付票」という表題３３のほか、配達票兼受領票１４の届け先情報複写記入欄２９、配達希望日時複写記入欄３０、受付年月日複写記入欄３１にそれぞれ上下に対応する位置に、届け先情報第２複写記入欄３４、配達希望日時第２複写記入欄３５、受付年月日第２複写記入欄３６をそれぞれあらかじめ印刷している。なお、前記各複写記入欄２９，３０，３１，３４，３５，３６と、控え票１２の届け先情報記入欄１７、配達希望日時記入欄１８、受付年月日記入欄１９とによって配送情報記入部を構成する。
【００１５】
図２および図３に示すように、控え票１２の配達票兼受領票１４に対向する裏面部分には、ロイコ系染料を内包したマイクロカプセル層からなる発色剤層３７を設けている。また、配達票兼受領票１４の表面には、前記発色剤層３７と対向するように固体酸からなる顕色剤層３８を設けて、ノーカーボン複写構造を構成している。さらに、前記配達票兼受領票１４の裏面には、前記顕色剤層３８設置部分に対応して、ロイコ系染料を内包したマイクロカプセル層からなる発色剤層３９を設けている。また、貼付票片２の表面には、前記発色剤層３９と対向するように固体酸からなる顕色剤層４０を設けて、ノーカーボン複写構造を構成している。
【００１６】
続いて、上述のように構成した配送伝票１の使用方法の一例を説明する。大量処理する場合は依頼主企業において、また、個人依頼主については配送取扱業者において、未記入状態の配送伝票１に対して印字作業を行う。すなわち、依頼主企業または配送取扱業者によってノンインパクトプリンタ、例えばレーザープリンタを用いて、控え票１２の伝票番号記入欄１６に伝票番号１６ａを印字するとともに、この伝票番号１６ａをコード化したバーコード４１ａ，４１ｂを控え票１２と補助貼付票８に印字する。これによって、図１状態の配送伝票１となる。なお、印字作業を依頼主企業で行う場合には、補助貼付票８の依頼主情報記入欄２０にも依頼主情報２０ａを印字する。
【００１７】
この配送伝票１を受け取った依頼主は、手書きによって、控え票１２の届け先情報記入欄１７に届け先情報と品名情報（ともに図示せず）を記入し、配達希望日時記入欄１８に配達希望日（図示せず）を記入するとともに、希望時間帯を○で囲み（図示せず）、依頼主情報記入欄２０が空欄の場合はここに依頼主情報を記入する。この控え票１２への記入によって、図４に示すように、配達票兼受領票１４の届け先情報複写記入欄２９に同一内容の届け先情報２９ａと品名情報２９ｂが、配達希望日時複写記入欄３０に同一内容の配達希望日３０ａと希望時間帯３０ｂが複写記入される。この複写記入と同時に、図５に示すように、貼付票片２の届け先情報第２複写記入欄３４に同一内容の届け先情報３４ａと品名情報３４ｂが、また、配達希望日時第２複写記入欄３５に同一内容の配達希望日３５ａと希望時間帯３５ｂが複写記入される。
【００１８】
依頼主の依頼を受けて集荷にきた配送取扱業者の集荷担当者あるいは配送品が持ち込まれた取扱店の担当者は、配送伝票１の受付年月日記入欄１９に受付年月日情報（図示せず）を記入し、同一内容の受付年月日情報３１ａ，３６ａをそれぞれ、配達票兼受領票１４と貼付票片２に複写記入する。その後、担当者は売上票９の所定記入欄に受付日２２ａ、担当者名２３ａ、伝票番号２４ａ、配達希望日２５ａ、希望時間帯２６ａ、運賃２７ａの各情報を記入する。そして、これら売上票９に記入した各情報２２ａ，２３ａ，２４ａ，２５ａ，２６ａ，２７ａを、適宜な端末機を利用して配送取扱業者の配送情報管理部門に送信する。
【００１９】
次いで担当者は、控え票１２の切り欠き１３部分近傍を指で摘み、切り用ミシン目１１を破断するように捲り上げて控え票１２を切り取り、依頼主に手渡す一方、剥離紙７をスリット４４から売上票９対応部分を除いて剥離し、露出した粘着剤６により配送品を収納した配送品容器４２に貼付する。
【００２０】
図示していないが、控え票１２を切り取った配送伝票１を貼付した状態で、配送品容器４２は配送取扱業者の集荷センターに配送される。集荷センターでは、切り用ミシン目１０を破断して裏面に剥離紙７が接着した状態の売上票９を切り取り、この売上票９に表示された情報に基づいて配送経路を決定し、所定の配送トラックに仕分けする。
【００２１】
配送トラックの運転手は、適宜な時期に配達票兼受領票１４を切り用ミシン目１１を破断して切り取るのであるが、この切り取り作業は、受領票片３が短く形成されて、控え票１２が切り取られた後に形成された窓部分の一縁に沿って帯状の空間部分が存在するので、この空間部分から指を入れて配達票兼受領票１４端部を摘むことができ、容易に行うことができる。この配達票兼受領票１４を切り取った後の配送伝票１は、図５及び図６に示すように、前記窓部分から貼付票片２の複写記入した各情報３４ａ，３４ｂ，３５ａ，３５ｂ，３６ａを視認しうる状態となる。そして、図６状態で配送作業が行われる。
【００２２】
目的の届け先に到着すると、運転手は保管していた配達票兼受領票１４の受領印捺印欄３２に受領印の捺印を受け、配送品を届け先に手渡し、前記配達票兼受領票１４は持ち帰る。そして、持ち帰った配達票兼受領票１４に表示された情報を配送情報管理部門に送信し、これを受けた配送情報管理部門はデータの消し込みを行い、配送作業を終了する。
【００２３】
なお、本発明は上述の実施形態に限定されるものではなく、例えば、補助貼付票８と売上票９は必ずしも設けなくてもよい。この場合には貼付票片２は控え票片４と同一大であればよく、この貼付票片２のみで貼付票として機能する。また、配送情報記入部１７，１８，１９，２０，２９，３０，３１，３４，３５，３６の種類や印刷位置も種々変更可能である。控え票１２に設けた伝票番号記入欄１６は、控え票片４に設けてもよい。
【００２４】
さらに、複写構造は、上述した発色剤層３７，３９と顕色剤層３８，４０を対向配置した構成のほか、自己発色剤層を各複写記入部に設けた構成や、カーボン層を各複写記入部と対向する面に設けた構成を採用することも可能である。またさらに、ノンインパクトプリンタとしては、レーザープリンタのほか、サーマルプリンタ等があるが、控え票片４、補助貼付票８及び売上票９という各上位のシートは、各プリンタに応じた材質のものを用いることになる。
【図面の簡単な説明】
【００２５】
【図１】配送伝票の表面側を示す平面図。
【図２】図１のＡ−Ａ線断面図。
【図３】図１のＢ−Ｂ線断面図。
【図４】筆記記入後に控え票を切り取った状態の配送伝票の表面側を示す平面図。
【図５】売上票と配達票兼受領票を切り取った配送伝票の表面側を示す平面図。
【図６】図５に示す配送伝票の配送品容器への貼付状態を示す断面図。
【符号の説明】
【００２６】
１      配送伝票
２      貼付票片
３      受領票片
４      控え票片
５      接着剤
６      粘着剤
７      剥離紙
８      補助貼付票
９      売上票
１０，１１      切り用ミシン目
１２      控え票
１４      配達票兼受領票
１６，２４      伝票番号記入欄
１７      届け先情報記入欄
１８      配達希望日時記入欄
１９      受付年月日記入欄
２０      依頼主記入欄
２９      届け先情報複写記入欄
３０      配達希望日時複写記入欄
３１      受付年月日複写記入欄
３２      受領印捺印欄
３４      届け先情報第２複写記入欄
３５      配達希望日時第２複写記入欄
３６      受付年月日第２複写記入欄
３７，３９      発色剤層
３８，４０      顕色剤層
４４      スリット
【図１】
0004709614.tif 000002
【図２】
0004709614.tif 000003
【図３】
0004709614.tif 000004
【図４】
0004709614.tif 000005
【図５】
0004709614.tif 000006
【図６】
0004709614.tif 000007